(57)【要約】      （修正有）【課題】降雨時に自動車の乗降の際に十分な幅、引き出し長さの雨よけを車内、車外より設置でき不使用時にはシートをケースに収納し車両に着脱自在かつしっかりと設置しえる自動車用雨よけ開閉装置を提供する。【解決手段】雨よけシート３を水平に保持するシート保持機構４とそのシート保持機構４の一端と雨よけシート３の一端が取り付けられた先端引出部コの字バー２と雨よけシート３を巻き取るシート巻取り手段６と駆動装置７が設置された収納ケースを取付部材と落下防止装置により車両に着脱自在で尚且つしっかり設置し、スムーズに使用、収納し得る構造に設定したものである。【選択図】図１
0003177181.tif 000002
【実用新案登録請求の範囲】
【請求項１】
駆動装置７が設置されたベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するアーム４１とアーム４２と平行バー４３１とアーム支点４３３と引っ張りバー４３４から構成されたシート保持機構４と、そのシート保持機構４の先端に設けた先端バー２の両側に引出部磁石２１を設け、前記収納ケース１を取付部材９により車両側窓周壁のレインモールａに着脱自在に取付けた事を特徴とする自動車用雨よけ開閉装置。
【請求項２】
駆動装置７は穴７１１を複数設けた円筒形の開閉回転部７１を正転反転動作させる駆動モーター７１２からなり、穴７１１に引っ張りバー４３４の一端を連結し、駆動モーター７１２に正転信号が伝達された時、開閉回転部７１が引っ張りバー４３４を引っ張る方向に回転しアーム４２のアーム支点４３３を介した連結部４３５を駆動部側に引き寄せる事によりアーム４２が外側に開きシート保持機構４が展開し雨よけシートが張り出され、駆動モーター７１２に反転信号が伝達された時、開閉回転部７１が引っ張りバー４３４を押し出す方向に反転し、アーム４２のアーム支点４３３を介した連結部４３５を押し出す事でアーム４２が内側へ移動しシート保持機構４が収納されシート巻取り手段６により雨よけシートが巻き取られ、収納される事を特徴とする自動車用雨よけ開閉装置。
【考案の詳細な説明】
【技術分野】
【０００１】  本考案は自動車の屋根付近に取付られる自動車用雨よけ開閉装置に関する。
【背景技術】
【０００２】  降雨時の車の乗降において、いくら傘を使用しても傘を閉じ車に乗り込む際や、傘を開き車から降りる際どうしても雨に濡れてしまい、雨が車の中に入って座席や床まで雨に濡れ足を滑らせてしまう恐れがあり、特に老人や身障者の場合は更に危険が伴い、介助人がいたとしても傘を持ちながら片手での乗降の手助けは非常に危険であった。又、運送業等の荷物の積み下ろしの際も、大切な荷物が雨に濡れてしまっていた。このような降雨時の車の雨よけ開閉装置の一例として、「自動車用雨よけ装置」特許文献１が公知である。この雨よけ装置は、雨よけシートを巻き取る巻取軸とこの巻取軸を巻取り方向へ付勢するバネと、巻取軸を回転自在に支持して収納するケースを着脱可能な永久磁石を利用して車体ルーフのドア付近に取付け雨よけシートがドアと連動せずに車体ルーフよりも側方へ張り出して展開するように構成されているものである。【０００３】  他の一例として、特許文献２の「自動車用雨よけ」の様に自動車室内のルーフ側部に沿ってドア上方に位置するように取り付けられ、車室内上方にルーフに沿って収納される収納位置と、ドア又はドアウィンドウから車外に横向きに張り出す雨よけ位置との間を回動可能なひさしを有することを特徴とし、複数枚のパネルを折畳みおよび展開可能に接続して構成されているものである。【０００４】  しかし特許文献１の「自動車用雨よけ装置」は車体に着脱可能な永久磁石で取り付ける為、永久磁石を完全に車体ルーフに密着させなければ走行中の車体振動、衝撃などで装置が車体ルーフから外れる危険性があり実用化の際、車両ごとに異なるルーフ形状への取付形式を再考する必要がある。【０００５】  特許文献２の「自動車用雨よけ」は折畳み形式の複数のパネルをテープヒンジで折畳み可能にし、ひさしとしているが、実際には２枚程度が限界でそれ以上の枚数のパネルをテープヒンジで連結し展開する事はパネルの自重を考慮すると困難であり、ひさしの突出長さには限界がある。
【先行技術文献】
【特許文献】
【０００６】
【特許文献１】  特開特開２００２−２９２６３号  公報
【特許文献２】  特開２０００−３１８４５３号  公報
【考案の概要】
【考案が解決しようとする課題】
【０００７】  本考案は上記の問題に留意し、専用の取付部材を用いて車体にしっかり固定し、振動や衝撃で車体から雨よけ装置が外れたり位置がずれる事を防ぎ、降雨時の乗降の際に十分な幅と引き出し長さ、必要な強度の確保、更に軽量化の雨よけを設置でき、車内、車外から容易に雨よけ装置を開閉し得る自動車用雨よけ開閉装置を提供する事を課題とする。
【課題を解決するための手段】
【０００８】  駆動装置７が設置されたベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するアーム４１とアーム４２と平行バー４３１とアーム支点４３３と引っ張りバー４３４から構成されたシート保持機構４と、そのシート保持機構４の先端に設けた先端バー２の両側に引出部磁石２１を設け、前記収納ケース１を取付部材９により車両側窓周壁のレインモールａに着脱自在に取付けた事を特徴とする自動車用雨よけ開閉装置。【０００９】  駆動装置７は穴７１１を複数設けた円筒形の開閉回転部７１を正転反転動作させる駆動モーター７１２からなり、穴７１１に引っ張りバー４３４の一端を連結し、駆動モーター７１２に正転信号が伝達された時、開閉回転部７１が引っ張りバー４３４を引っ張る方向に回転しアーム４２のアーム支点４３３を介した連結部４３５を駆動部側に引き寄せる事によりアーム４２が外側に開きシート保持機構４が展開し雨よけシートが張り出され、駆動モーター７１２に反転信号が伝達された時、開閉回転部７１が引っ張りバー４３４を押し出す方向に反転し、アーム４２のアーム支点４３３を介した連結部４３５を押し出す事でアーム４２が内側へ移動しシート保持機構４が収納されシート巻取り手段６により雨よけシートが巻き取られ、収納される事を特徴とする自動車用雨よけ開閉装置。
【考案の効果】
【００１０】  この考案の自動車用雨よけ開閉装置は、雨よけシートが設置されたシート保持部材を操作する駆動装置に動作信号を伝達する事で、雨よけシートを最大幅まで簡単に引き出す事ができ、シート保持部材により雨よけシートがたわむことなく水平に保持でき必要な強度を保て、必要な時に誰でもすぐに使用でき、収納時は収納信号を受けた駆動装置と、収納ケース内に設けられた巻取り部材とスライダーにより自動的にスムーズに収納する事ができ、収納後は、収納ケースと先端引出部に設けたられた磁石により、不必要な時は雨よけシートが引き出されることなく、着脱自在に設置する取付部材によりしっかり車両に設置される為、振動や衝撃で収納ケースがずれたり外れたりせず安全で、尚且つ大変軽量な構成で経済的なコストで製作でき雨よけ開閉装置を必要とする車両に幅広く使用できるという優れた利点を有する。
【図面の簡単な説明】
【００１１】
【図１】本考案の自動車用雨よけ開閉装置の斜視図  （ａ）展開時  （ａ−１）先端バーがスライダーに入る前の図  （ａ−２）先端バーがスライダーに挿入された図  （ｂ）収納時
【図２】本考案の自動車用雨よけ開閉装置の動作図  （ａ）展開時  （ｂ）収納途中  （ｃ）収納時
【図３】本考案の自動車用雨よけ開閉装置の平面図
【図４】本考案の自動車用雨よけ開閉装置の落下防止装置の構成  （ａ）取付けた状態  （ｂ）取付け部の拡大図  （ｃ）落下防止装置の拡大図
【図５】本考案の自動車用雨よけ開閉装置の車両への取付  （ａ）雨よけ開閉装置の開いた状態  （ｂ）雨よけ開閉装置の閉じた状態
【考案を実施するための形態】
【００１２】以下、本考案の雨よけ開閉装置の構成に沿って説明する。
【００１３】図１は本考案の自動車用雨よけ開閉装置の斜視図を示す。
駆動モーター７１２に反転信号を伝達した時、開閉回転部７１が反時計回りに回転し、引っ張りバー４３４を引き寄せアーム４２のアーム支点４３３を介した連結部４３５を駆動部側に引き寄せる事によりアーム４２が外側に開きシート保持機構４が展開し（ａ）の様に雨よけシート３が張り出され、駆動モーター７１２に正転信号を伝達した時、開閉回転部７１が時計回りに回転し引っ張りバー４３４を押し出し、アーム４２のアーム支点４３３を介した連結部４３５を外側へ押し出す事でアーム４２が内側へ移動しシート保持機構４が収納されシート巻取り手段６により雨よけシートが巻き取られ、（ｂ）の様に収納される。
【００１４】シート巻取り手段６とシート保持機構４により雨よけシート３に収納する際、先端バー２が収納ケースに付近に来た時、収納ケースの下側両サイドに設けたスライダー１３の傾斜に沿って、先端バーのコの字状の内側が挿入され強制的に収納される為、収納の確実性が上がる。
【００１５】アーム支点４３３を介して連結したアーム４２と連結部４３５は常に一定の角度に保つ様に設定している。
【００１６】図２は本考案の自動車用雨よけ開閉装置の動作図を示す。
開閉回転部７１に連結した引っ張りバー４３４には連結部４３５を設けアーム支点４３３を介してアーム４２と連結し駆動モーター７１２に反転、正転信号を伝達した時、（ａ）の展開状態から（ｂ）の収納途中を経て（ｃ）の様にシート保持機構を収納する。
【００１７】図３は本考案の自動車用雨よけ開閉装置の平面図を示す。
ベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するコの字型のアーム４１と角型のアーム４２を接続軸４６で連結し、平行バー４３１をピン４５が溝部４３２を介してアーム２と連結した物からなるシート保持機構４の片側を収納ケース１に回動可能に連結し、別の片側を先端バー２６に回動可能に連結し、駆動装置７に動作信号を伝達した時、雨よけシート３が水平に張り出される。
【００１８】図１と図２で本考案の自動車用雨よけ開閉装置のＬＥＤランプの点灯動作について説明する。
先端バー２の前面にＬＥＤランプ２２を設け、下部にマグネットスイッチ２３を設け、そのマグネットスイッチ２３がベース板１１と当接している間はＬＥＤランプ２２は消灯し、ベース板１１より離れると、ＬＥＤランプ２２が点灯し雨よけ開閉装置の収納確認と注意喚起が可能なになる。
【００１９】図４は本考案の自動車用雨よけ開閉装置の落下防止装置の構成を示す。
ベース板の穴１２に落下防止装置ワイヤー８１を通し、そのワイヤー８１を、コの字型の上面に、つまみネジ８２が貫通された落下防止装置８に連結し車両のレインモールａに取付部材９と取付ける事で安全性を図れる。
【００２０】図５は本考案の自動車用雨よけ開閉装置の車両への取付を示す。
（ａ）のように車両のレインモールａに取付部材９と落下防止装置８を用いて設置し、乗降の際（ｂ）の様に雨よけシート３を開く事で、降雨時などに人や車内が雨に濡れる事を防ぐ。
【産業上の利用可能性】
【００２１】この考案の自動車用雨よけ開閉装置は、収納ケースを設置し得る形状の車両であって降雨時の雨よけ又、日照時の日除けを必要とする車両に広く利用される。
【符号の説明】
【００２２】１  収納ケース
１１  ベース板
１２  ベース板の穴
１３  スライダー
１４  磁石
２  先端バー
２１  引出部  磁石
２２  ＬＥＤランプ
２３  マグネットスイッチ
３  雨よけシート
４  シート保持機構
４１  アーム
４２  アーム
４３１  平行バー
４３２  溝部
４３３  アーム支点
４３４  引っ張りバー
４３５  連結部
４５  ピン
４６  接続軸
６  シート巻取り手段
７  駆動装置
７１  開閉回転部
７１１  穴
７１２  駆動モーター
８  落下防止装置
８１  落下防止装置ワイヤー
８２  つまみネジ
９  取付部材
ａ  車両のレインモール
【図１】
0003177181.tif 000003
【図２】
0003177181.tif 000004
【図３】
0003177181.tif 000005
【図４】
0003177181.tif 000006
【図５】
0003177181.tif 000007
【手続補正書】
【提出日】平成24年5月10日(2012.5.10)
【手続補正１】
【補正対象書類名】実用新案登録請求の範囲
【補正対象項目名】全文
【補正方法】変更
【補正の内容】
【実用新案登録請求の範囲】
【請求項１】
駆動装置７が設置されたベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するアーム４１とアーム４２と平行バー４３１とアーム支点４３３と引っ張りバー４３４から構成されたシート保持機構４と、そのシート保持機構４の先端に設けた先端バー２の両側に引出部磁石２１を設け、前記収納ケース１を取付部材９により車両側窓周壁のレインモールａに着脱自在に取付けた事を特徴とする自動車用雨よけ開閉装置。
【請求項２】
駆動装置７は穴７１１を複数設けた円筒形の開閉回転部７１を正転反転動作させる駆動モーター７１２からなり、穴７１１に引っ張りバー４３４の一端を連結し、駆動モーター７１２に正転信号が伝達された時、開閉回転部７１が引っ張りバー４３４を引っ張る方向に回転しアーム４２のアーム支点４３３を介した連結部４３５を駆動部側に引き寄せる事によりアーム４２が外側に開きシート保持機構４が展開し雨よけシートが張り出され、駆動モーター７１２に反転信号が伝達された時、開閉回転部７１が引っ張りバー４３４を押し出す方向に反転し、アーム４２のアーム支点４３３を介した連結部４３５を押し出す事でアーム４２が内側へ移動しシート保持機構４が収納されシート巻取り手段６により雨よけシートが巻き取られ、収納される事を特徴とする請求項１記載の自動車用雨よけ開閉装置。